(57)【要約】【課題】  パッキンを備えた水切り形と扉の周囲に枠体を備えた構造とで、キャビネット本体を共通化した電気機器収納用キャビネットの構造を提供する。【解決手段】  本体を構成するベース体１を、開放された前面周囲に側面板１ａの端部を内側に折り曲げた後、前方に向けて折り曲げ、更に先端を外側に折り曲げて開放された前面に並行な端面７ｃを備えた枠体７を設けて形成し、扉板２でベース体１の前面を閉塞した際に、前面全体が扉板２に覆われて閉塞され、且つ閉塞した扉板２とベース体１との間に雨水の浸入を防ぐためのパッキン８が配置されて枠体７を水切り部とした屋外仕様の構造と、枠体７にフレーム構成部材を固着して、扉板でベース体１の前面を閉塞した際に扉板を枠体７の内側に収容できる屋内仕様の構造とをベース体１を用いて作製できる。【選択図】  図１
2014068483.tif 000002
【特許請求の範囲】
【請求項１】
箱体を構成する６面のうち前面が開放された本体と、前記開放された前面を閉塞可能に前記本体に蝶着された扉板とを有する電気機器収納用キャビネットの構造であって、
前記本体は、上下左右の各側面板及び背面板を備えたベース体を基に形成され、
前記ベース体は、開放された前面周囲に、前記側面板の端部を内側に折り曲げた後、前方に向けて折り曲げ、更に先端を外側に折り曲げて前記開放された前面に並行な端面を備えた枠体を有して成り、
前記扉板で前記本体の前面を閉塞した際に、前記前面全体を前記扉板が覆って閉塞し、且つ閉塞した前記扉板と前記本体との間に雨水の浸入を防ぐためのパッキンが配置された屋外仕様の構造と、
前記扉板で前記本体の前面を閉塞した際に、前記扉板が前記本体前面に周設された枠体の内側に収容される屋内仕様の構造との双方を、前記ベース体を基に形成したことを特徴とする電気機器収納用キャビネットの構造。
【請求項２】
前記屋内仕様の本体は、前記扉板を保持する段部と、前記枠体の露出する部位を隠蔽する隠蔽部と、を備えたフレーム構成部材を前記ベース体の枠体に固着して形成されることを特徴とする請求項１記載の電気機器収納用キャビネットの構造。
【請求項３】
前記フレーム構成部材は、前記隠蔽部の幅が前記枠体の幅に略一致する第１フレーム構成部材、及び前記枠体の幅を超えて前記本体の側方に突出する幅を有する第２フレーム構成部材の何れかの形状で形成されることを特徴とする請求項２記載の電気機器収納用キャビネットの構造。
【発明の詳細な説明】
【技術分野】
【０００１】
本発明は、電気機器収納用キャビネットの構造に関し、特に異なる構造のキャビネットに対して、主要部を共用できる電気機器収納用キャビネットの構造に関する。
【背景技術】
【０００２】
電気機器を収納するキャビネットは、設置場所や設置環境によって扉を囲む枠体が必要であったり、防水のためのパッキンが必要であったりするため、同一寸法のキャビネットであっても、異なる構造のものを用意する必要がある。そのため、電気機器収納用キャビネットは異なる大きさを用意するだけでも多くの部材を必要とするのに加えて、異なる構造のものを加えると部材が膨大になってしまうため、部材の共通化を図り部品点数の削減が検討されている。
例えば、特許文献１では、パッキンを備えた水切り型と、扉の周囲に枠体を備えた公団型と称される構造のキャビネットに対して、共通する側板を使用可能とした。
【先行技術文献】
【特許文献】
【０００３】
【特許文献１】実開昭６３−１３７５０２号公報
【発明の概要】
【発明が解決しようとする課題】
【０００４】
しかしながら、上記特許文献１の構成の場合、側板を共通化できたが、キャビネット本体と扉との間にパッキンを備えた水切り形と、キャビネット本体に枠体を備えた構造とで側板を反転させるため、キャビネット本体としては引き続き異なる構造であったため、作製したキャビネット本体の保管スペースを削減できず、大きな削減効果を生ずるものではなかった。
【０００５】
そこで、本発明はこのような問題点に鑑み、扉を囲む枠体を備えた構造と、周囲に枠体を設けずに扉とキャビネット本体との間にパッキンを備えた水切り形とで、キャビネットの本体を共通化した電気機器収納用キャビネットの構造を提供することを目的としている。
【課題を解決するための手段】
【０００６】
上記課題を解決する為に、請求項１の発明は、箱体を構成する６面のうち前面が開放された本体と、前記開放された前面を閉塞可能に前記本体に蝶着された扉板とを有する電気機器収納用キャビネットの構造であって、前記本体は、上下左右の各側面板及び背面板を備えたベース体を基に形成され、前記ベース体は、開放された前面周囲に、前記側面板の端部を内側に折り曲げた後、前方に向けて折り曲げ、更に先端を外側に折り曲げて前記開放された前面に並行な端面を備えた枠体を有して成り、前記扉板で前記本体の前面を閉塞した際に、前記前面全体を前記扉板が覆って閉塞し、且つ閉塞した前記扉板と前記本体との間に雨水の浸入を防ぐためのパッキンが配置された屋外仕様の構造と、前記扉板で前記本体の前面を閉塞した際に、前記扉板が前記本体前面に周設された枠体の内側に収容される屋内仕様の構造との、双方の構造に対して前記ベース体を基に形成されることを特徴とする。
この構成によれば、開放形成された本体前面をパッキンを介して扉板が覆って、開放された本体前面を密閉する屋外仕様のキャビネットと、扉板が本体の枠体内に配置されて閉塞する屋内仕様のキャビネットとを同一のベース体を使用した本体で作製できる。よって、異なる構造のキャビネットを共通する主要部材で作製でき、大幅なコストダウンを実現できるし、在庫の削減を図ることが可能となる。
【０００７】
請求項２の発明は、請求項１に記載の構成において、前記屋内仕様の本体は、前記扉板を保持する段部と、前記枠体の露出する部位を隠蔽する隠蔽部と、を備えたフレーム構成部材を前記ベース体の枠体に固着して形成されることを特徴とする。
この構成によれば、フレーム構成部材を枠体に固着することで屋内仕様の本体を作製でき、ベース体を基にした簡易な加工で作製できる。
【０００８】
請求項３の発明は、請求項２に記載の構成において、前記フレーム構成部材は、前記隠蔽部の幅が前記枠体の幅に略一致する第１フレーム構成部材、及び前記枠体の幅を超えて前記本体の側方に突出する幅を有する第２フレーム構成部材の何れかの形状で形成されることを特徴とする。
この構成によれば、隠蔽部の幅が枠体の幅に略一致する第１フレーム構成部材を使用すれば、扉板周囲に本体の縁部を配置した所謂公団型を作製できる。そして、枠体の幅を超えて前記本体の側方に突出する幅を有する第２フレーム構成部材を使用すれば、本体を壁面に収納する埋込型を作製できる。よって、ベース体に固着する部材の簡易な変更で２種類の屋内仕様キャビネットを作製することができ、コストダウンを図ることができる。
【発明の効果】
【０００９】
本発明によれば、開放された前面全体を扉板が収容して閉塞し、扉板と本体の間にパッキンを設けた第１の構造である水切り型と、扉板が本体の枠体内に配置される第２の構造である埋込型或いは公団型とを同一のベース体を使用して作製できる。よって、異なる構造のキャビネットを共通する主要部材で作製でき、大幅なコストダウンを実現できるし、在庫の削減を図ることが可能となる。
【図面の簡単な説明】
【００１０】
【図１】本発明に係る電気機器収納用キャビネットの構造の一例を示し、水切り型キャビネットの横断面説明図である。
【図２】図１のＡ部拡大図である。
【図３】図１のキャビネット全体を示し、（ａ）は正面図、（ｂ）は平面図である。
【図４】図２に対応する公団型キャビネットの要部説明図である。
【図５】図４のキャビネット全体を示し、（ａ）は正面図、（ｂ）は平面図である。
【図６】図２に対応する埋込型キャビネットの要部説明図である。
【図７】図６のキャビネット全体を示し、（ａ）は正面図、（ｂ）は平面図である。
【発明を実施するための形態】
【００１１】
以下、本発明を具体化した実施の形態を、図面を参照して詳細に説明する。図１は本発明に係る電気機器収納用キャビネットの構造を示すキャビネットの左側半分の横断面図を示し、第１の構造（屋外仕様の構造）を示している。これは、水切り型と称される構造を示し、１は機器収納部を構成するキャビネットの本体（第１の本体）、２は扉板であり、本体１は前面が開放されて他の５面が閉塞され、前面が扉板２により閉塞されるよう構成されている。扉板２は、蝶番３を介して開閉自在に本体１に取り付けられている。また、本体１内には機器を組み付けるための金属板から成るベース５、アース線を接続するアース端子６等が組み付けられている。
【００１２】
図２はＡ部の拡大図である。図２に示すように、本体１の前面には、本体１の側面を形成する側面板１ａの端部を略コ字状に折り曲げて形成した枠体７を有している。枠体７は具体的に、側面板１ａの端部を内側に折り曲げて前面に平行な面７ａを形成した後、前方に向けて折り曲げ形成した奥行き面７ｂを形成し、更に先端を外側に折り曲げて前面に平行な面（端面）７ｃを形成している。
【００１３】
一方、扉板２は本体１と略同一の外寸で形成され、枠体７の外周を覆う側板２ａを有し、左端が蝶番３を介して開閉可能に本体１と連結されている。また、扉板２の背面には、ゴム製パッキン８が縁部に沿って貼着され、閉じた際に枠体７の端面７ｃに密着して扉板２の周囲から本体１内への水の浸入を防ぐよう配設されている。この場合、枠体７は水切りの作用を奏している。
【００１４】
図３は第１の構造のキャビネットの外観図を示し、（ａ）は正面図、（ｂ）は平面図である。図３に示すように、本体１と蓋板２は略同一の外寸で形成され、扉板２の右隅には操作ハンドル９が設けられて、開閉操作及びロック操作を容易としている。そして、閉じた状態では、パッキン８が本体１の開放された前面と扉板２との間の隙間を塞ぎ、雨水等の水の浸入を防止する。本体１の前面に流れ込んだ水は、枠体７から成る水切りを伝って下方に流れるよう構成され、屋外に設置可能となっている。尚、パッキン８は、本体１の端面７ｃ上に配置しても良い。
【００１５】
図４，図５は、第２の構造（屋内仕様の構造）のキャビネットを示し、公団型と称されるキャビネットを示している。図４は上記図２に対応する要部拡大図、図５は外観図であり、（ａ）は正面図、（ｂ）は平面図である。
１１はキャビネットの本体、１２は扉板であり、この第２の構造は扉板１２の外寸は本体１１より小さく、閉じた扉板１２は本体１１の内側に配置される。本体１１は、上記第１の本体１を基本に、枠体７に追加部材を附加して形成されている。以下、第１の構造の本体１をベース体と称し、第２の構造の本体１１を第２の本体と称して説明する。
【００１６】
第２の本体１１は、図４に示すようにベース体１に階段状に折り曲げ形成したフレーム構成部材（第１フレーム構成部材）１３を固着して形成されている。第１フレーム構成部材１３は、枠体７の内側に収容した扉板１２の背部に当接する段部１４ａを備えて扉体１２を保持する第１フレーム体１４と、枠体７の前方及び周囲側方を隠蔽する隠蔽部を構成する第２フレーム体１５とが連結辺１３ａで連結されて形成され、４辺に設けられた枠体７のそれぞれに図４に示すように固着されている。具体的に、枠体７の奥行き面７ｂに、フレーム連結辺１３ａが溶接されている。
【００１７】
そして、扉板１２は、開放された前面の左側段部１４ａに取り付けられた蝶番１７を介して開閉自在に蝶着され、扉板１２の右隅に操作ハンドル１８が設けられている。この第２の構造のキャビネットは主に集合住宅等の建屋内において露出設置して使用される。
【００１８】
尚、第２フレーム体１５は、枠体７の前方を覆う平坦部１５ａと側方を囲む曲げ部１５ｂとを有し、平坦部１５ａは枠体７の幅にほぼ一致する幅で形成され、曲げ部１５ｂはベース体１の側面１ａと略面一になるよう形成されている。
【００１９】
図６，図７は、第３の構造のキャビネットを示し、本体が壁面に埋設設置される埋込型のキャビネットを示している。図６は上記図２に対応する要部の拡大図、図７は外観図であり、（ａ）は正面図、（ｂ）は平面図である。２１はキャビネットの本体（以下、第３の本体と称する）、２２は扉板であり、この第３の構造も上記第２の構造と同様に本体２１の内側に扉板２２を配置するよう構成されている。そして、この第３の本体２１は、上記第２の構造と同様に、階段状に折り曲げ形成したフレーム構成部材（第２フレーム構成部材）２３をベース体１に固着して形成されている。図７（ｂ）に示すように、第３の本体２１が壁面Ｗに埋設されて設置される。
【００２０】
具体的に、第２フレーム構成部材２３は、扉板２２の背部に当接する段部２４ａを備えて扉板２２を保持する第３フレーム体２４と、枠体７より幅広に形成されて枠体７の前方及び周囲側方を隠蔽する隠蔽部を有する第４フレーム体２５とが連結辺２３ａで連結されて形成され、４辺に設けられた枠体７のそれぞれに図６に示すように固着されている。具体的に、枠体７の奥行き面７ｂに、フレーム構成部材２３の連結辺２３ａが溶接されている。
そして、扉板２２は、開放された前面の左側段部２４ａに取り付けられた蝶番２７を介して開閉自在に蝶着され、扉板２２の右隅に操作ハンドル２８が設けられている。
【００２１】
尚、第４フレーム体２５は、枠体７の前方を覆う平坦部２５ａと側方を囲む曲げ部２５ｂとを有し、平坦部２５ａは枠体７の幅より幅広に形成され、曲げ部２５ｂはベース体１の側方へ突出して形成されている。この第３フレーム体２５の突出部により、第３の本体２１を壁面Ｗに埋設した際に、壁面Ｗに埋設されたベース体１周囲の隙間が覆われて隠蔽される。
【００２２】
このように、開放された本体１の前面全体を扉板２が収容して閉塞し、扉板２と本体１の間にパッキン８を設けた屋外仕様のキャビネットと、扉板１２が本体１１の内側に配置され、枠体７を隠蔽する第１フレーム構成部材１３を備えた屋内仕様の構造である公団型と、扉板２２が本体２１の内側に配置され、且つ埋設された本体２１の周囲を隠蔽する第２フレーム構成部材２３を備えた第３の屋内仕様の構造である埋設型とを同一のベース体１を使用して作製できる。よって、異なる構造のキャビネットを共通するベース体１を使用して作製でき、大幅なコストダウンを実現できるし、在庫の削減を図ることが可能となる。
また、フレーム構成部材１３，２３を枠体７に固着することで第２の構造及び第３の構造の２種類の屋内使用のキャビネット本体１１，２１を作製でき、ベース体１を基にした簡易な加工で作製できる。
更に、平坦部１５ａの幅が枠体７の幅に略一致する第１フレーム構成部材１３を使用すれば、所謂公団型を作製でき、平坦部２５ａの幅を枠体７の幅より広くした第２フレーム構成部材２３を使用すれば埋込型を作製できる。よって、ベース体１に固着する部材の簡易な変更で２種類の屋内仕様キャビネットを作製することができ、コストダウンを図ることができる。
【００２３】
尚、上記実施形態は、右開きの構成を説明したが、蝶番の配置を右側に変更すれば、ベース体１を変更することなく左開きを容易に作製できる。
【符号の説明】
【００２４】
１・・本体（ベース体）、１ａ・・側面板、２・・扉板、７・・枠体、７ｃ・・端面、８・・パッキン、１１・・第２の本体（本体）、１２・・扉板、１３・・第１フレーム構成部材、１４・・第１フレーム体、１４ａ・・段部、１５・・第２フレーム体、１５ａ・・平坦部、２１・・第３の本体（本体）、２２・・扉板、２３・・第２フレーム構成部材、２４・・第３フレーム体、２４ａ・・段部、２５・・第４フレーム体、２５ａ・・平坦部。
【図１】
2014068483.tif 000003
【図２】
2014068483.tif 000004
【図３】
2014068483.tif 000005
【図４】
2014068483.tif 000006
【図５】
2014068483.tif 000007
【図６】
2014068483.tif 000008
【図７】
2014068483.tif 000009